(57)【要約】【課題】紙厚情報の他に紙の光透過情報を取得して紙種の判定が行える用紙判別装置、この用紙判別装置を備えた原稿読取装置、前記用紙判別装置または原稿読取装置を備えた画像形成装置を提供する。【解決手段】用紙判別装置は、紙を移送する紙送り部１０１ｂと、前記移送中の紙の紙厚を測定する紙厚測定部６と、前記移送中の紙に光を照射する照明部１０１ｆと、前記照明部１０１ｆから照射された光が前記紙を透過する位置に設けられた透過光受け部材７と、前記紙の照明側に設けられた光センサーである撮像素子１０１ｇと、を備えており、前記紙の表面で反射された反射光および前記紙を透過し前記透過光受け部材７で反射されて前記紙を再透過した光を前記撮像素子１０１ｇが受光したときの出力に基づいて紙の光透過量情報を取得し、この光透過量情報と紙厚とに基づいて紙種判別を行う。【選択図】  図２
2018101848.tif 000002
【特許請求の範囲】
【請求項１】
紙を移送する紙送り部と、前記移送中の紙の紙厚を測定する紙厚測定部と、前記移送中の紙に光を照射する照明部と、前記照明部から照射された光が前記紙を透過する位置に設けられた透過光受光部材と、前記紙の照明側に設けられた光センサーと、を備えており、
前記紙の表面で反射された反射光および前記紙を透過し前記透過光受光部材で反射されて前記紙を再透過した光を前記光センサーが受光したときの出力に基づいて紙の光透過量情報を取得し、この光透過量情報と紙厚とに基づいて紙種判別を行うことを特徴とする紙種判別装置。
【請求項２】
請求項１に記載の紙種判別装置において、前記透過光受光部材の状態を変化させる状態変化手段を備え、前記状態変化手段による前記透過光受光部材の状態変化の前後の前記光センサーの出力変化から紙の光透過量情報を取得することを特徴とする紙種判別装置。
【請求項３】
請求項２に記載の紙種判別装置において、前記状態変化手段は、前記透過光受光部材の反射率を変化させることを特徴とする紙種判別装置。
【請求項４】
請求項２に記載の紙種判別装置において、前記状態変化手段は、前記透過光受光部材と前記紙との距離を変化させることを特徴とする紙種判別装置。
【請求項５】
請求項２〜請求項４のいずれか１項に記載の紙種判別装置において、前記状態変化手段は、前記紙の移送中に、前記透過光受光部材の状態を変化させることを特徴とする紙種判別装置。
【請求項６】
請求項２〜請求項５のいずれか１項に記載の紙種判別装置において、前記紙送り部による紙移送方向の前記光センサーよりも上流側に前記紙厚測定部を備え、前記光センサーは、湾曲状に通過する紙に対面して位置しており、前記状態変化手段は、前記紙厚測定部により測定された紙厚に基づき前記透過光受光部材の状態を変化させることを特徴とする紙種判別装置。
【請求項７】
請求項６に記載の紙種判別装置において、前記透過光受光部材の位置変化を、当該透過光受光部材の回転により行うことを特徴とする紙種判別装置。
【請求項８】
請求項１〜請求項７のいずれか１項に記載の紙種判別装置を備える原稿読取装置であって、前記照明部、前記透過光受光部材および前記光センサーが原稿読み取り用途を兼ねることを特徴とする原稿読取装置。
【請求項９】
請求項８に記載の原稿読取装置において、原稿読み取り時に、前記紙厚測定部により測定された原稿の紙厚に基づいて前記透過光受光部材の位置を変化させることを特徴とする原稿読取装置。
【請求項１０】
請求項８に記載の原稿読取装置において、原稿読み取り時に、前記紙厚測定部により測定された原稿の紙厚に基づいて前記照明部の照度を変化させることを特徴とする原稿読取装置。
【請求項１１】
請求項１〜請求項７のいずれか１項に記載の紙種判別装置または請求項８〜請求項１０のいずれか１項に記載の原稿読取装置を備えた画像形成装置。
【発明の詳細な説明】
【技術分野】
【０００１】
本発明は、紙種を判別する紙種判別装置、この紙種判別装置を備えた原稿読取装置、前記紙種判別装置または原稿読取装置を備えた画像形成装置に関する。
【背景技術】
【０００２】
複写機、プリンター、ファクシミリ及びこれらの複合機等の画像形成装置では、印刷する紙の坪量や熱容量、表面抵抗率に対し、定着温度や転写条件等のパラメータを適切に調整することで良好な画質を出力できるよう制御を行っている。そこで、印刷時には、ユーザーが紙種の選択を行い、印刷する紙がどのような紙種であるのか、画像形成装置に情報を入力することが必要とされる。
【０００３】
しかし、大半の一般ユーザーにとっては、この紙種の見分けは非常に困難であるため、必ずしも適切な紙種設定がされていないのが現状である。
【０００４】
そこで、近年では、画像形成装置に紙種自動判別機能を持たせ、自動的に最適な紙種設定を行うことが提案されている。紙種の判別には様々な方法があるが、例えば坪量や熱容量が紙の厚みに対して高い相関があることを利用し、実際に紙厚を測定したデータを紙種ごとの紙厚データテーブルと照合して紙種判別を行うものがある。この紙厚による紙種判別は、通紙経路に簡単な紙厚測定機構を設けることにより精度良く紙厚測定ができるという利点がある。
【０００５】
しかし、数多く存在する用紙の中には、坪量と紙厚の相関にずれを持つものが存在する。これは、紙の密度の差が原因であり、例えば同じ紙厚であっても密度が高いものは坪量が大きくなり、逆に密度が低いものでは坪量が小さくなる。そのため、紙厚の測定だけで正しい紙種判別をすることできない。
【０００６】
特許文献１および特許文献２には、紙厚情報以外の情報も取得して紙種判別を行うことが開示されているが、適切に紙種判別が行えるものではない。
【先行技術文献】
【特許文献】
【０００７】
【特許文献１】特開平７−１４４７９４号
【特許文献２】特開２００３−１１２８４０号
【発明の開示】
【発明が解決しようとする課題】
【０００８】
本発明は、紙厚情報の他に紙の光透過情報を取得して紙種の判定が行える紙種判別装置、この紙種判別装置を備えた原稿読取装置、前記紙種判別装置または原稿読取装置を備えた画像形成装置を提供する。
【課題を解決するための手段】
【０００９】
本発明における紙種判別装置は、前記の課題を解決するため、紙を移送する紙送り部と、前記移送中の紙の紙厚を測定する紙厚測定部と、前記移送中の紙に光を照射する照明部と、前記照明部から照射された光が前記紙を透過する位置に設けられた透過光受光部材と、前記紙の照明側に設けられた光センサーと、を備えており、前記紙の表面で反射された反射光および前記紙を透過し前記透過光受光部材で反射されて前記紙を再透過した光を前記光センサーが受光したときの出力に基づいて紙の光透過量情報を取得し、この光透過量情報と紙厚とに基づいて紙種判別を行うことを特徴とする。
【００１０】
前記の構成であれば、前記紙の表面で反射された反射光および前記紙を透過し前記透過光受光部材で反射されて前記紙を再透過した光を前記光センサーが受光したときの出力に基づいて紙の光透過量情報を取得しており、紙厚情報の他に紙の光透過率によって紙種の判定が行える。
【００１１】
前記透過光受光部材の状態を変化させる状態変化手段を備え、前記状態変化手段による前記透過光受光部材の状態変化の前後の前記光センサーの出力変化から紙の光透過量情報を取得するようにしてもよい。これによれば、前記光センサーの出力変化による紙の光透過量変化から紙の光透過率を的確に判断して紙種の判定が行える。
【００１２】
前記状態変化手段は、前記透過光受光部材の反射率を変化させてもよい。或いは、前記状態変化手段は、前記透過光受光部材と前記紙との距離を変化させてもよい。
【００１３】
前記状態変化手段は、前記紙の移送中に、前記透過光受光部材の状態を変化させるようにしてもよい。
【００１４】
前記紙送り部による紙移送方向の前記光センサーよりも上流側に前記紙厚測定部を備え、前記光センサーは、湾曲状に通過する紙に対面して位置しており、前記状態変化手段は、前記紙厚測定部により測定された紙厚に基づき前記透過光受光部材の状態を変化させてもよい。例えば、前記状態変化手段は、前記紙厚測定部により測定された紙厚に基づき、薄紙に対しては、厚紙の場合よりも、前記透過光受光部材を紙に近づけるようにしてもよい。
【００１５】
前記透過光受光部材の位置変化を、当該透過光受光部材の回転により行うようにしてもよい。
【００１６】
また、この発明における原稿読取装置は、前記紙種判別装置を備えた原稿読取装置であって、前記照明部、前記透過光受光部材および前記光センサーが原稿読み取り用途を兼ねることを特徴とする。
【００１７】
この原稿読取装置において、原稿読み取り時に、前記紙厚測定部により測定された原稿の紙厚に基づいて前記透過光受光部材の位置を変化させてもよい。例えば、薄紙に対しては、厚紙の場合よりも、前記透過光受光部材を原稿に近づけるようにしてもよい。
【００１８】
また、原稿読み取り時に、前記紙厚測定部により測定された原稿の紙厚に基づいて前記照明部の照度を変化させてもよい。例えば、薄紙に対しては、厚紙の場合よりも、前記照明部の照度を高くするようになっていてもよい。
【００１９】
そして、本発明における画像形成装置においては、用紙を判別する紙種判別装置として、本発明における前記のような紙種判別装置または前記原稿読取装置を用いるようにした。
【発明の効果】
【００２０】
本発明であれば、紙厚情報の他に紙の光透過情報を的確に取得して紙種の判定が行える等の諸効果を奏する。
【図面の簡単な説明】
【００２１】
【図１】本発明の実施形態にかかる画像形成装置を示した概略説明図である。
【図２】図１の画像形成装置に設けられた本発明の実施形態にかかる原稿読取装置を示した概略説明図である。
【図３】図２の原稿読取装置における原稿読取ユニット等を示した概略説明図である。
【図４】図３の原稿読取ユニットの光照射によって用紙の表面で光が反射する様子および用紙を透過した光が透過光受光部材にて反射し、用紙を再透過する様子を示した概略説明図である。
【図５】本発明の実施形態を示す図であって、同図（Ａ）は透過率が異なる紙種における光成分比を示したグラフであり、同図（Ｂ）は透過率が異なる紙種について透過光受光部材を介して受光した光センサー出力を示したグラフであり、同図（Ｃ）は同図（Ｂ）について通紙中の光センサー出力の変化を示したグラフである。
【図６】図２の原稿読取装置で取得した光センサー出力と紙厚とにより紙種判別を行うハード構成の概略を示したブロック図である。
【図７】図２の原稿読取装置において状態変化機構により透過光受光部材の回転で反射率を変化させることを示した説明図である。
【図８】本発明の実施形態を示す図であって、同図（Ａ）は透過率が異なる紙種について透過光受光部材の反射率が高であるときのセンサー出力の変化を示したグラフであり、同図（Ｂ）は透過率が異なる紙種について透過光受光部材の反射率が低であるときのセンサー出力の変化を示したグラフである。
【図９】本発明の実施形態を示す図であって、透過光受光部材の反射率を通紙中に変化させたときの光センサー出力の変化を示したグラフである。
【図１０】図２の原稿読取装置で紙種判別を行う場合に、透過光受光部材を回転させることにより、この透過光受光部材の表面と用紙の距離を変化させることを示した説明図である。
【図１１】図２の原稿読取装置で紙種判別を行う場合に、厚紙と薄紙の違いにより、透過光受光部材と紙との距離が変化することを示した説明図である。
【図１２】図２の原稿読取装置で紙種判別を行う場合に、薄紙について、透過光受光部材の位置を紙に接近させることを示した説明図である。
【図１３】本発明の実施形態を示す図であって、同図（Ａ）は、透過光受光部材の位置を紙に接近させる制御を行わない場合の紙の坪量とセンサー出力の関係を示したグラフであり、同図（Ｂ）は、透過光受光部材の位置を紙に接近させる制御を行う場合の紙の坪量とセンサー出力の関係を示したグラフである。
【図１４】図２の原稿読取装置で紙種判別を行う場合に、薄紙について、透過光受光部材の表面を回転動作で紙に接近させることを示した説明図である。
【発明を実施するための形態】
【００２２】
次に、本発明の実施形態に係る紙種判別装置、原稿読取装置および画像形成装置を添付図面に基づいて具体的に説明する。なお、本発明に係る紙種判別装置、原稿読取装置および画像形成装置は、下記の実施形態に示したものに限定されず、その要旨を変更しない範囲において適宜変更して実施できるものである。
【００２３】
例えば、図１に示すように、この実施形態に係る画像形成装置１００は、トナー画像が形成される４つの感光体１０に対応させて、現像剤を収容させた４つの現像装置１３を設け、各現像装置１３においては、それぞれの現像剤中におけるトナーの色彩を異ならせ、黒色，黄色，マゼンダ色，シアン色のトナーを用いるようにしている。
【００２４】
ここで、この画像形成装置１００においては、前記各感光体１０を回転させて、各感光体１０の表面をそれぞれ帯電装置１１によって帯電させ、このように帯電された各感光体１０に対して、それぞれ潜像形成装置１２により画像形成情報に従った露光を行い、各感光体１０の表面にそれぞれ静電潜像を形成するようにしている。
【００２５】
そして、このように静電潜像が形成された各感光体１０に対して、それぞれ対応する現像装置１３から所定の色彩のトナーを各感光体１０の静電潜像に供給して現像を行い、各感光体１０の表面にそれぞれの色彩のトナー画像を形成するようにしている。
【００２６】
次いで、前記のように各感光体１０に形成された各色彩のトナー画像を、回転ローラー１４ａに架け渡されて回転駆動される無端ベルト状になった中間転写ベルト１４の表面に、前記各感光体１０と対向して設けられた各一次転写ローラー１５により順々に一次転写させて、この中間転写ベルト１４の表面にフルカラーのトナー画像を形成するようにしている。
【００２７】
また、前記中間転写ベルト１４に転写されずに各感光体１０の表面に残留しているトナーを、それぞれ第１のクリーニング装置３０によって、各感光体１０の表面から除去するようにしている。
【００２８】
そして、前記のように中間転写ベルト１４の表面に形成されたフルカラーのトナー画像を、この中間転写ベルト１４により二次転写ローラー１６と対向する位置に導くようにしている。
【００２９】
また、画像形成装置１００に設けられた給紙装置４に積載されている用紙Ｓを、給紙ローラー４１により給紙してタイミングローラー１８に送り、このタイミングローラー１８により用紙Ｓを中間転写ベルト１４と二次転写ローラー１６との間に導き、中間転写ベルト１４の表面に形成されたトナー画像を前記二次転写ローラー１６により用紙Ｓに転写させるようにしている。また、用紙Ｓに転写されずに前記中間転写ベルト１４の表面に残ったトナーを、第２のクリーニング装置３１によって中間転写ベルト１４の表面から除去するようにしている。
【００３０】
そして、前記のようにトナー画像が転写された用紙Ｓを定着装置１９に導き、この定着装置１９により、転写された前記トナー画像を用紙Ｓに定着させた後、このようにトナー画像が定着された用紙Ｓを排紙ローラー２０により排紙させるようにしている。
【００３１】
また、前記画像形成装置１００の上部には、この実施形態の原稿読取装置（ＡＤＦ）１０１が設けられている。前記原稿読取装置１０１は、紙を移送させながら読み取りを行うものであり、図２に示すように、流し読みされる原稿が載置される原稿載置板１０１ａと、搬送ローラー等を備える紙送り部１０１ｂと、原稿を読み取る原稿読取ユニット１０１ｃと、紙の移送方向と直交する方向に長いスリット部を有したスリット板１０１ｄと、原稿が載置されるプラテンガラス１０１ｅとを備えている。また、例えば、前記原稿読取ユニット１０１ｃは前記プラテンガラス１０１ｅの下を移動可能に設けられるが、原稿の読み取り時には前記スリット板１０１ｄの下に位置する。
【００３２】
さらに、前記原稿読取装置１０１は、移送中の紙の紙厚を測定する紙厚測定部６を備えている。この紙厚測定部６としては、例えば、移送する紙の紙厚によって位置変位するローラー等の位置変位量を計測するものを用いることができる。
【００３３】
また、前記原稿読取装置１０１は、透過光受光部材７を備えている。この透過光受光部材７は、前記の移送される紙の背面側で前記スリット板１０１ｄに対向して位置する。換言すれば、この透過光受光部材７は、後述の照明部１０１ｆから照射された光が用紙Ｓを透過する位置に設けられている。
【００３４】
前記原稿読取ユニット１０１ｃは、照明部１０１ｆと、光センサーとなる撮像素子（ＣＣＤ等）１０１ｇを備えている。この実施形態では、前記撮像素子１０１ｇは、前記スリット板１０１ｄに正対して配置され、また、前記照明部１０１ｆは、前記スリット板１０１ｄのスリット部を介して斜め方向から用紙Ｓまたは原稿に光を照射するように配置されており、前記撮像素子１０１ｇは、用紙Ｓまたは原稿で反射された光のなかで、正反射光ではなく、拡散反射光が主に受光するようになっている。
【００３５】
この実施形態では、前記原稿読取装置１０１は、紙種判別装置を兼ねるものとしており、前記給紙装置４にセットされている用紙Ｓの紙種の設定がユーザーによってされていない場合、用紙Ｓを前記原稿読取装置１０１にセットして紙種判別処理を実行することを促すようにしている。用紙Ｓの紙種判別処理が前記原稿読取装置１０１によって実行されるときには、前記紙厚測定部６によって用紙Ｓの紙厚がその移送中に測定されるとともに、前記撮像素子１０１ｇによる受光処理によって、移送中の用紙Ｓの光透過情報が取得されることになる。
【００３６】
前記の紙種判別処理では、図４に示すように、前記原稿読取ユニット１０１ｃによって、用紙Ｓに光が照射されると、用紙Ｓの表面で反射された反射光(実線矢印参照)および用紙Ｓを透過し前記透過光受光部材７で反射されて用紙Ｓを再透過した透過光(点線矢印参照)を前記撮像素子１０１ｇが受光することになる。この実施形態では、前記撮像素子１０１ｇには、前記透過光受光部材７で反射されて用紙Ｓを再透過した透過光についても、正反射光ではなく、拡散反射光が主に届くようになっている。
【００３７】
ここで、前記撮像素子１０１ｇが受光する反射光量と透過光量は、図５（Ａ）に示すように、トレードオフの関係になっているため、透過率が低い紙種Ａでは反射光成分の占める割合が多くなり、透過率が高い紙種Ｂであれば反射光成分の割合は少なくなる。
【００３８】
そして、用紙Ｓを透過した透過光は前記透過光受光部材７に至るが、前記透過光受光部材７は、用紙Ｓよりも照明部１０１ｆから離れた位置にあるため、この透過光受光部材７で反射した光は、全透過量に対して減衰したものとなって前記撮像素子１０１ｇで受光される。このため、図５（Ｂ）に示すように、光透過率の異なる種類Ａの紙と紙種Ｂの紙を測定したときにセンサー出力に差が生じる。すなわち、光透過率が異なる紙種Ａ，Ｂの紙については、透過光が多いほどその減衰量が大きくなり、前記撮像素子１０１ｇで受光される光量（センサー出力値）に差が出ることになる。繰り返しになるが、光透過率が高い紙種Ｂについてのセンサー出力は、光透過率が低い紙種Ａについてのセンサー出力よりも低さくなる傾向がある。なお、用紙Ｓの移送中（読み取り移動中）の用紙Ｓに対するセンサー出力を紙種Ａ，Ｂについて示すと、図５（Ｃ）のようになる。ここで、用紙Ｓの光透過量情報は、例えば、用紙Ｓの移送中の用紙Ｓに対するセンサー出力の幾つかをサンプリングし、その平均値を採用することも考えられる。
【００３９】
前記紙種判定出力におけるハードウェア構成を簡略的に示すと、例えば、図６に示すように、前記撮像素子１０１ｇの出力である電圧値をＡ／Ｄ変換部８で変換したデジタル値を上位アドレスとしてデータテーブル９に与えるとともに、前記紙厚測定部６の出力である電圧値をＡ／Ｄ変換部８で変換したデジタル値を下位アドレスとしてデータテーブル９に与える構成となる。あらかじめ、様々な紙種について、紙厚と前記原稿読取ユニット１０１ｃと同等の光学系による装置を用いて実際にセンサー出力を収集しておき、これら紙厚とセンサー出力に対応する紙種の情報を、前記データテーブル９に記憶させておく。
【００４０】
ここで、仮に、前記撮像素子１０１ｇに前記透過光受光部材７で反射されて用紙Ｓを再透過した透過光が主に正反射光であるとすると(特許文献１参照)、紙の透過率によるセンサー出力の差があまり生じないことになる。一方、前記撮像素子１０１ｇに前記透過光受光部材７で反射されて用紙Ｓを再透過した透過光が主に拡散反射光であると、紙の透過率によるセンサー出力の差が好適に生じる。すなわち、拡散光を積極的に用いる構造であると、紙種による透過率の差をセンサー出力に好適に反映させることができる。
【００４１】
また、紙（原稿）面での反射光についても、この反射光が主に拡散反射光であると、紙の透過率によるセンサー出力の差が好適に生じることになる。ここで、前記原稿読取ユニット１０１ｃによる本来の原稿読み取りの処理において、仮に、正反射光成分が撮像素子１０１ｇで受光されると、センサー出力が飽和し、読取画像が白く飛んで画像品質が落ちることになる。前記実施形態のように、紙（原稿）面での反射光が主に拡散反射光であると、このような不具合も生じない。すなわち、紙種判別装置を前記原稿読取装置１０１に兼ねさせても特に問題は生じないことになる。
【００４２】
次に、図７に示すように、前記透過光受光部材７の状態を変化させる状態変化機構７１を備える実施形態について説明する。前記透過光受光部材７は、断面が略円形をなしており、全周の略半分が高反射率部７ａとなっており、残り半分が低反射率部７ｂとなっている。前記高反射率部７ａが前記スリット板１０１ｄに向く状態では、透過光について前記撮像素子１０１ｇが受光する光量が増大し、低反射率部７ｂが前記スリット板１０１ｄに向く状態では、透過光について前記撮像素子１０１ｇが受光する光量が減少することになる。
【００４３】
前記高反射率部７ａと低反射率部７ｂの切り替えは、前記透過光受光部材７の中心部に軸を設け、この軸を中心に半回転させることで行うことができる。すなわち、ここでの状態変化機構７１は、前記透過光受光部材７を回転させることで前記高反射率部７ａと低反射率部７ｂの位置を切り替え、前記透過光受光部材７の反射率を変化させるものとなる。また、この状態変化機構７１は、前記高反射率部７ａと低反射率部７ｂの切り替えを、用紙Ｓの通紙中に実行する。
【００４４】
このように、前記透過光受光部材７の状態(前記の例では反射率)を変化させる状態変化機構７１を備えると、前記透過光受光部材７の反射率が高とされる場合に、図８（Ａ）に示すようなセンサー出力が得られ、前記透過光受光部材７の反射率が低とされる場合に、図８（Ｂ）に示すようなセンサー出力が得られる。前記状態変化機構７１による前記透過光受光部材７の状態変化の前後の前記撮像素子１０１ｇの出力差を光透過量情報として紙種判別に用いると、紙種判別がより高精度で行えるようになる。
【００４５】
また、前記高反射率部７ａと低反射率部７ｂの切り替えを、用紙Ｓの通紙中に実行すると、図９に示すように、１回の通紙処理で、高反射率と低反射率の２状態のセンサー出力を取得することができる。なお、前記透過光受光部材７の状態変化の前後の前記撮像素子１０１ｇの出力差を光透過量情報とする場合の、ハードウェア構成は、例えば、前記透過光受光部材７の状態変化前後のセンサー出力を順次にＡ／Ｄ変換して、それらの差分を生成し、この差分をアドレスとしてデータテーブルに入力する。
【００４６】
前記の例では、前記透過光受光部材７の状態変化を光反射率の変化としたが、これに限らない。例えば、図１０に示すように、状態変化機構７２は、前記透過光受光部材７と用紙Ｓとの距離を変化させるようになっていてもよい。このような距離変化は、前記透過光受光部材７の上下方向に偏心した位置に軸を設け、この軸を中心に半回転させることで行うことができる。ここで、前記状態変化機構７２が対向する面部７ｃ，７ｄを有する構成であれば、前記半回転によって面部７ｃと面部７ｄのいずれかを用紙Ｓに向けることになる。なお、面部７ｃと面部７ｄの大きさは同じでなくてもよい。
【００４７】
前述のように、前記透過光受光部材７の状態変化を光反射率の変化とするような場合において、透過光成分を得るときは、できるだけ透過光をロスなく前記透過光受光部材７で反射させ（光反射率高状態）、反射光成分のみを得るときは、できるだけ透過光を前記透過光受光部材７で吸収する（光反射率低状態）ことが必要である。そのため、透過光成分を得るときは、前記透過光受光部材７は、できるだけ用紙Ｓの近くに位置して透過光の減衰を抑えることが必要となる。
【００４８】
一方、前記原稿読取装置１０１における湾曲経路では、紙はその剛性によって通紙時の挙動が変わる場合がある。具体的には、図１１に示すように、剛性の高い厚紙Ｓ１はローラー間の最短経路を通るのに対し、剛性の低い薄紙Ｓ２では、弛みを生じながら前記透過光受光部材７から離れた位置を通る。また、前記透過光受光部材７は用紙Ｓとの接触を避けるため、厚紙Ｓ１の通紙位置から一定のクリアランスをおいて設置される。そのため、薄紙Ｓ２の通紙時には前記透過光受光部材７との距離が必要以上に開いてしまい、前記透過光受光部材７の状態を反射率高にして透過光成分を得るときでも、距離による減衰が大きくなり、センサー出力が低くなる。
【００４９】
そこで、図１２に示すように、前記透過光受光部材７を前記用紙Ｓに近づく方向と遠ざかる方向に移動可能に設けるとともに、前記紙厚測定部６によって移送中に測定される用紙Ｓの紙厚の情報を利用し、用紙Ｓが薄ければ前記透過光受光部材７を用紙Ｓに接近させる制御を行うようにしてもよい。この接近制御は、紙厚が閾値を下回るときと閾値以上のときの２値による接近制御でもよいし、紙厚に応じた段階的な接近制御でもよい。
【００５０】
図１３（Ａ）は前記用紙Ｓへの前記透過光受光部材７の接近制御を行わない場合のセンサー出力を示しており、図１３（Ｂ）は前記用紙Ｓへの前記透過光受光部材７の接近制御を行う場合のセンサー出力を示しておいる。これらのグラフから分かるように、坪量が小さい（紙が薄い）ときに接近制御を行うと、前記透過光受光部材７の反射率が高であるときにおいて、透過光のロスを低減して前記撮像素子１０１ｇに受光させることができる。
【００５１】
前記透過光受光部材７を前記用紙Ｓに近づく方向と遠ざかる方向に移動可能に設けることに代えて、図１４に示すように、前記透過光受光部材７の断面形状を楕円等の回転非対称形状とし、その回転角度を変えることで、前記透過光受光部材７における高反射率部７ａが前記用紙Ｓに近づく状態と遠ざかる状態に変動するようになっていてもよい。この回転角制御は、紙厚が閾値を下回るときと閾値以上のときの２値による回転角制御でもよいし、紙厚に応じた段階的な回転角制御でもよい。
【００５２】
以上の例では、前記原稿読取ユニット１０１ｃが紙種判別装置を兼ねたが、これに限らず、前記原稿読取ユニット１０１ｃと独立して設けられる構成としてもよい。ただし、前記原稿読取ユニット１０１ｃが紙種判別装置を兼ねる方が、照明部１０１ｆ等を共用できるので、装置コストを低減できる。さらに、前記原稿読取ユニット１０１ｃが紙種判別装置を兼ねる場合において、当該原稿読取ユニット１０１ｃが本来の原稿読み取りを行う場合に、前記紙厚測定部６により測定された紙厚に基づいて、前記透過光受光部材７の位置を、例えば、図１２や図１４に示した態様で変化させるようにしてもよい。このように構成すると、原稿が薄紙であっても、読取諧調を高くして読み取ることができ、画像読取品質の向上が可能となる。
【００５３】
また、前記原稿読取ユニット１０１ｃが本来の原稿読み取りを行う場合に、前記紙厚測定部６により測定された紙厚に基づいて、照明部１０１ｆの照度を変化させてもよい。例えば、薄紙に対しては、厚紙の場合よりも、照明部１０１ｆの照度を高くする。これによれば、透過光成分の多い薄紙では、高いセンサー出力が得られるため、読取品質の向上が図れる。反射成分の多い厚紙では、薄紙の場合よりも照明部１０１ｆの照度を低くし、センサー出力の飽和が起こり難いようにする。
【００５４】
なお、紙を移送する紙送り部と、前記移送中の紙の紙厚を測定する紙厚測定部と、前記移送中の紙を照射する照明部と、前記照明部から照射された光が前記紙を透過する位置に設けられた光センサーと、を備えており、前記紙厚測定部により測定された紙厚に基づき、厚紙に対しては、薄紙の場合よりも、前記照明部の照度を高くするとともに、前記紙を透過した光を前記光センサーが受光したときの出力に基づいて紙の光透過量情報を取得し、この光透過量情報と紙厚とに基づいて紙種判別を行うようにしてもよい。このように構成すると、透過光量が少ない厚紙では前記照明部の照度を高くし、透過光量が多い薄紙では前記照明部の照度を低くし、光センサーの出力が飽和するのを防止することができる。
【符号の説明】
【００５５】
６        ：紙厚測定部
７        ：透過光受光部材
７ａ      ：高反射率部
７ｂ      ：低反射率部
７ｃ      ：面部
７ｄ      ：面部
８        ：Ａ／Ｄ変換部
９        ：データテーブル
１０      ：感光体
１２      ：潜像形成装置
１３      ：現像装置
１４      ：中間転写ベルト
７１      ：状態変化機構（状態変化手段）
７２      ：状態変化機構（状態変化手段）
１００    ：画像形成装置
１０１    ：原稿読取装置
１０１ａ  ：原稿載置板
１０１ｂ  ：紙送り部
１０１ｃ  ：原稿読取ユニット
１０１ｄ  ：スリット板
１０１ｅ  ：プラテンガラス
１０１ｆ  ：照明部
１０１ｇ  ：撮像素子(光センサー)
Ｓ        ：用紙
Ｓ１      ：厚紙
Ｓ２      ：薄紙
【図１】
2018101848.tif 000003
【図２】
2018101848.tif 000004
【図３】
2018101848.tif 000005
【図４】
2018101848.tif 000006
【図５】
2018101848.tif 000007
【図６】
2018101848.tif 000008
【図７】
2018101848.tif 000009
【図８】
2018101848.tif 000010
【図９】
2018101848.tif 000011
【図１０】
2018101848.tif 000012
【図１１】
2018101848.tif 000013
【図１２】
2018101848.tif 000014
【図１３】
2018101848.tif 000015
【図１４】
2018101848.tif 000016